(57)【特許請求の範囲】
【請求項１】
貨物車両（５１）の箱型荷物室（５２）の開口部（５３）を開閉する貨物車両用自動開閉ドアであって、
前記開口部（５３）の一側縁に、その側縁を回動中心にして水平方向に開くように取り付けられた展開ドア（５４）と、
前記展開ドア（５４）に、スライド開閉するように取り付けられたスライドドア（５５）と、
前記展開ドア（５４）に取り付けられた、駆動モータ（４）で円弧状に回動する第１アーム（２）と、該第１アーム（２）の先端を第２回動中心点（Ｐ２）として円弧状に回動する第２アーム（３）と、該第１アーム（２）の第１回動中心点（Ｐ１）に固定した第１タイミングプーリ（５）と、該第２アーム（３）の第２回動中心点（Ｐ２）に固定した第２タイミングプーリ（６）と、これらの第１タイミングプーリ（５）と第２タイミングプーリ（６）とに掛け渡すタイミングベルト（７）と、を有し、該第２アーム（３）の先端部に前記スライドドア（５５）を連結した開閉駆動部（１）と、
前記開閉駆動部（１）に付設された、前記第１アーム（２）の回動角度を規制するために、該第１アーム（２）が当たる位置を可変できるストッパ（３２）と、該第１アーム（２）の回動位置を検出する第１アーム検出センサ（３３）と、を有する第１アーム回動角調節構造（３１）と、を備え、
前記開閉駆動部（１）の第１アーム（２）を駆動モータ（４）で回動させると、同時に第１タイミングプーリ（５）の回動に伴い、タイミングベルト（７）が第２タイミングプーリ（６）を回動させ、第２アーム（３）を従回動させ、該第２アーム（３）の先端部を直線往復運動させて、前記スライドドア（５５）を自動で開閉し、
前記駆動モータ（４）が電気的に動作不能状態になったときに、前記スライドドア（５５）を手動で動かすことにより、前記第２アーム（３）の先端部の直線移動に伴い、第１アーム（２）を第２回動中心点（Ｐ２）で回動させ、該駆動モータ（４）の回転軸を強引に回動させ、該スライドドア（５５）を手動でも開閉するように構成した、ことを特徴とする貨物車両用自動開閉ドア。
【請求項２】
前記第１アーム回動角調節構造（３１）は、前記ストッパ（３２）・第１アーム検出センサ（３３）を、支持孔（３５）を並列するように複数開けた支持板（３４）の何れかに着脱自在に掛け止めるように構成した、ことを特徴とする請求項１の貨物車両用自動開閉ドア。
【請求項３】
前記開閉駆動部（１）は、箱型荷物室（５２）の開口部（５３）に取り付けた受信部にリモコンスイッチからの信号を受信させて遠隔操作する、ことを特徴とする請求項１又は２の貨物車両用自動開閉ドア。
【請求項４】
前記展開ドア（５４）の箱型荷物室（５２）側に、
該展開ドア（５４）を前記箱型荷物室（５２）の開口部（５３）に施錠・解錠するロックロッド（２４）と、該ロックロッド（２４）の両先端に形成された係合先端部をそれぞれ上下動させる係合先端部可動機構と、該開口部（５３）の上下位置にそれぞれ設けられた被係合部と、を有し、係合先端部可動機構を操作して該開口部（５３）の上下位置にそれぞれ設けられた被係合部に自在に係合するように成る荷物室側ロック装置（２１）を取り付け、
前記開口部（５３）において前記展開ドア（５４）を開閉するときは、前記スライドドア（５５）が展開ドア（５４）内に収納された状態で、開放された該開口部（５３）から、前記箱型荷物室（５２）内の係合先端部可動機構を操作して前記荷物室側ロック装置（２１）の解錠と施錠し得るように構成した、ことを特徴とする請求項１，２又は３の貨物車両用自動開閉ドア。
【請求項５】
前記スライドドア（５５）に、ねじ穴部を上下方向に可動可能に収納したスライドドア連結部（１２）を取り付け、該ねじ穴部と前記第２アーム（３）の先端部とを着脱自在に連結した、ことを特徴とする請求項１、２、３又は４の貨物車両用自動開閉ドア。
【発明の詳細な説明】
【技術分野】
【０００１】
本発明は、貨物車両の箱型荷物室の開口部において自動開閉するドアに係り、特に開閉ドアを容易かつ安全に開閉することができ、そのセキュリティ性とデザイン性を高めた貨物車両用自動開閉ドアに関する。
【背景技術】
【０００２】
長年に渡る国内道路網の整備拡張により、全国的に道路交通網の改善がなされ、国道を利用した長距離輸送が盛んに行われるようになった。宅配サービス事業を担うトラック輸送は、幹線道路に沿って展開された郊外型の大型店舗の増加や、通信販売システムの盛況等も手伝って、その重要性は益々高まる一方である。
【０００３】
このような状況の中、実際にトラック輸送に携わる作業者には、一人で貨物車両の運転と荷物の配達という両方の作業を兼ねることによって作業効率を高める努力が求められている。更に、大きさや重さ、形状等の全く異なる様々な形態の荷物について、１〜２名の作業者には多様な人の要求を受け入れて全国何処にでも配送する責任が負わされている。特に都市部では、狭い路地や交通量の多い箇所を走り廻りながら的確に目的地を見つけ出し、人や車の往来の激しい路上に貨物車両を駐車して荷物の積み降ろしを行なっていた。極めて困難かつ危険な作業を強いられているのが現状であった。
【０００４】
貨物車両を公道に駐車しての配送作業は、走行車両による衝突事故防止等に細心の注意を要する。例えば、狭い場所に貨物車両を駐車して、そのまま荷物を届けている間に、他の車両が扉近くにまで近づいて駐車された場合には、箱型荷物室の観音開き式の後部扉を開け閉めすることができなくなり、または誤って開けた扉を周囲の物に当てるというおそれもあった。
【０００５】
特に箱型荷物室が観音開き式の後部扉の場合、両手で荷物を抱えたまま扉の開閉することは極めて困難であり、一旦地上に荷物を置いて扉を開け、再度地上から荷物を担ぎ上げて荷室に運び込むことがあった。強風や雨天、降雪等荒天時には、荷物を濡らす等の弊害がある上、作業者には余計な作業を強いることになって、作業効率を低下させることになった。
【０００６】
そこで、図１２と図１３に示すように、貨物車両５１の箱型荷物室５２の開口部５３には、この開口部５３の一側縁に、その側縁を回動中心にして水平方向に開くように取り付けた展開ドア５４と、この展開ドア５４に、スライド開閉するようにスライドドア５５を取り付けた貨物車両用ドアが提案されている。
【０００７】
スライドドア５５を開閉するスライド駆動機構５６は、図１４に示すように、展開ドア５４の荷物室５２側に設けられている。スライド駆動機構５６は、展開ドア５４の荷室内側上部に、箱型荷物室５２内への突出量を最小限に抑えた薄型の開閉駆動用モータ５７と、これによって振り子状に駆動される開閉アーム５８とが設けられ、開閉アーム５８の先端を、スライドドア５５の側壁面に固着された鉛直状のレール５９に摺動自在に連結したものである。開閉操作スイッチを操作すると、スライドドア５５が矢視線方向に開閉するようになっている。
【０００８】
展開ドア５４外部には、図１２に示すように、これを箱型荷物室５２の開口部５３に開閉自在にロックするロックロッド６１が取り付けられている。このロックロッド６１は、展開ドア５４の下方位置に設けられたロックハンドル６２を操作することで、その上下の各先端部６１ａ，６１ｂが開口部５３周囲に設けられた係合部６３にそれぞれ自在に係合するようになっている。例えば、丸棒材の先端がＬ字状に曲折した先端部６１ａ，６１ｂを、係合部６３のスリットに挟むように構成したものがある。
【０００９】
箱型荷物室５２内に貨物を搬入する際には、ロックハンドル６２を操作して、ロックロッド６１を回動させて各先端部６１ａ，６１ｂを、係合部６３のスリットから外す。これで、開口部５３から展開ドア５４をスライドドア５５と共に開閉することができる。貨物を搬入した後、又は搬送中はこのロックハンドル６２を操作して、各係合部６３に各先端部６１ａ，６１ｂを係合させる。
【００１０】
このようにロックロッド６１が、スライドドア５５と共に展開ドア５４を開口部５３に強固に閉止しているので、貨物車両５１の走行の際に、展開ドア５４がスライドドア５５と共に不用意に開くことを防止している。このロックロッド６１方式のロック装置は、展開ドア５４をその上下位置で、強固に固定する方式であるために、従来から使用されている。特に観音開き方式のドアに良く使用されているロック装置である。
【００１１】
スライド駆動機構５６は、図１４に示すように、展開ドア５４の荷室内側上部に、箱型荷物室５２内への突出量を最小限に抑えた薄型の開閉駆動用モータ５７と、これによって振り子状に駆動される開閉アーム５８とが設けられ、開閉アーム５８の先端を、スライドドア５５の側壁面に固着された鉛直状のレール５９（仮想線表示）に摺動自在に連結したものである。開閉操作スイッチを操作すると、スライドドア５５が矢視線方向に開閉するようになっている。このスライド駆動機構５６はカバー６０で保護されている（図１３参照）。
【００１２】
一方、展開ドア５４に装着されたスライドドア５５の開閉端には、図示していないが、ロック金具を設けている。このロック金具に対応する開口部５３には、ロック金具の閉鎖に連動して密閉状態に自動ロックされ、かつ所定の操作によってロック解除可能とするようにした自動ロック機構が組み込まれている。
【００１３】
自動ロック機構は、図示していないが、例えばベース板に、スライドドア５５のロック金具を掛け止める係合片を上下方向に可動させるモータと、このモータの回転力を上下方向に変換させるギヤ機構とから成る。更に、ロック金具が、自動ロック機構に近づいたことを検知するセンサと、係合片が上端に移動したことを検知するセンサを備えたものである。
【００１４】
図１２、図１３に示す「車両用荷室扉」におけるスライドドア５５をリモコンスイッチで開けるときは、図１５（ａ）に示すような操作を行なう。
「開操作」
先ず、ドライバーは、パーキングブレーキを引く。パーキングブレーキを引かないとメインスイッチが入らないようになっている。運転席のメインスイッチを「ＯＮ」にする。これでスライドドア５５の施錠が自動的に解除される。
次に、リモコンスイッチの「開」ボタンを押す。開動作を始め、全開状態になると停止する。これで荷物の出し入れが可能になる。
なお、大きな荷物の場合は、展開ドア５４を手動で開ける。展開ドア５４を開ける際は、必ずスライドドア５５が全開の状態（スライドドア５５が展開ドア５４内に収納された状態）になったことを確認してから開ける。
【００１５】
「閉操作」
図１２、図１３に示す「車両用荷室扉」におけるスライドドア５５をリモコンスイッチで閉めるときは、図１５（ｂ）に示すような操作を行なう。
リモコンスイッチの「閉」ボタンを押す。スライドドア５５が閉操作を始め、全閉状態で停止する。なお、この状態ではまだ施錠はされていない。
運転席内のメインスイッチを「ＯＦＦ」にする。このときスライドドア５５の施錠が自動的に行われ、操作が終了する。
なお、車両走行中は必ず運手席内のメインスイッチを切る。
【００１６】
「電気式緊急解除操作」
図１２、図１３に示す「車両用荷室扉」におけるスライドドア５５が、電気的な原因で閉じたまま開閉できなくなることがある。例えば、ノイズ等の電気的な原因でスライドドア５５が施錠又は解錠の動作途中で止まることがある。このようなときは、図１６に示すような操作を行なう。
先ず、パーキングブレーキを引く。運転席のメインスイッチを「ＯＮ」にする。
次に、リモコンスイッチの「開」ボタンを押す。５秒以上の間隔を空け、このリモコンスイッチの「閉」ボタンを押す。５秒以上の間隔を空け、リモコンスイッチの「開」ボタンを押す。
これでスライドドア５５の施錠が解除される。スライドドア５５が閉じているときは、スライドドア５５は開動作を始める。
【００１７】
「機械的な緊急時のロック解除操作」
電子的な故障ではなく、モータが動作不能状態の機械的な故障のときは、上述したリモコンスイッチの操作では解決できないときがある。そのときは、図１７に示すような操作を行なう。
先ず、車両バッテリのメイン電源スイッチを「ＯＦＦ」にする。運転席内のメインスイッチを「ＯＦＦ」にする。
展開ドア５４内部のレール５９の取り付けねじを外す（図１４参照）。スライドドア５５のロック金具を外す。これにより、スライド駆動機構５６の振り子状に動作する開閉アーム５８との連関動作が解除される。そこで、スライドドア５５を手動で開けることができる。
展開ドア５４内側内面に装着したスライド駆動機構５６のカバー６０を外す（図１３参照）。既に外れている内部のレール５９を取り出す。
蝶ねじを展開ドア５４にねじ込み、スライドドア５５の開閉を規制する。
【００１８】
走行する時は、例えば、展開ドア５４下部に取り付けた蝶ねじを完全に締め込み、スライドドア５５が動かないように固定し、車両を走行させることができる。
スライドドア５５を開ける時は、締め込んでいた蝶ねじを、スライドドア５５に当たらない位置まで緩めれば、スライドドア５５を開けることができる。
展開ドア５４を開ける時は、スライドドア５５を全開にした後、蝶ねじを完全に締め込み、スライドドア５５が展開ドア５４から飛び出さないようにしてから、展開ドア５４を開けることができる。
【００１９】
展開ドア（観音ドア）に、スライド開閉するようにスライドドアを取り付けた貨物車両用ドアに関する技術が提案されている。例えば特許文献１の特開２００３−８２９１９公報「車両用荷室扉」のように、荷室壁面に形成された搬入出口の縁部に同搬入出口の略半分程度を閉鎖可能な展開ドアを設け、展開ドアの肉厚内もしくは荷室内側面には、搬入出口の残り略半分を閉鎖可能なスライドドアを摺動自在に装着すると共に、展開ドアの肉厚内側あるいは荷室内側面に比較的薄型の開閉駆動用モータを有するスライド駆動機構を組み込まれてなる車両用荷室扉が提案されている。
【００２０】
また、ロックロッドに関する技術も提案されている。例えば特許文献２の特開２００６−９７２５１号公報「荷箱の扉ロック装置」のように、ヒンジにより開閉自在に取り付けられた扉を有する荷箱の扉ロック装置であって、前記扉に回転自在に取付けられ、かつ、軸回りの回転位相を変化させることにより、前記扉のロック・アンロックを行う少なくとも１本のロックロッドと、前記扉の閉状態で前記扉の開放側端部と隣接する位置に設けられた係合穴に対し、前記ロックロッドの回転動作に連動して係合・離脱するロックピンとを備えた荷箱の扉ロック装置が提案されている。
【先行技術文献】
【特許文献】
【００２１】
【特許文献１】特開２００３−８２９１９号公報
【特許文献２】特開２００６−９７２５１号公報
【発明の概要】
【発明が解決しようとする課題】
【００２２】
特許文献１の「車両用荷室扉」には、電気式の緊急解除手段、機械的な緊急時のロック解除手段が備えられている。しかし、貨物車両５１で貨物を配送中に、自動開閉ドアのスライドドア５５が故障、又は動作不能状態になると、集配作業の時間指定や、駐車禁止によるスピーディーな集配作業が要請されるドライバーは狼狽することがある。この開閉駆動用モータ５７が開閉アーム５８をウォームギヤで振り子状に駆動する構造であるために、スライドドア５５側からこの開閉アーム５８を動作させることができなかった。このように狼狽すると簡単な緊急解除手段についても実行することができなくなり、却ってその解除に長時間を要することがある。
【００２３】
更に、特許文献１の「車両用荷室扉」には、スライドドア５５を開口部５３にロックするために、スライドドア５５にロック金具を設け、開口部５３には自動ロック機構を組み込む必要があった。そのために、このロック金具が自動ロック機構に施錠された状態になり、開錠できなくなることがある。そこで、上述した緊急解除の操作と併せて、このロック金具をスライドドア５５から外す必要があり、路上での緊急解除は不可能に近いものであった。
【００２４】
従来の自動ロック機構には、図１４に示したように、モータ５７と複数のセンサについて、スライドドア５５を開閉するスライド駆動機構５６に備えたモータ５７とセンサとは別に備える必要があった。これらに部品コストの高騰の他に、装置の総重量も重たくなるという問題も有していた。
【００２５】
また、特許文献１の「車両用荷室扉」では、緊急解除したあとに、通常の使用状態に復帰させるときは、上述した作業を逆の順序で実施するために長時間を要するものであった。勿論、修理工場において修理する必要もあった。
【００２６】
貨物車両の大小に応じて、スライドドア５５の幅が異なることがあり、その都度長さの異なる開閉アーム５８に交換する必要があり、同時にレール５９も長いものに交換していた。
【００２７】
なお、故障時、緊急時に、動作不能になったスライドドア５５を簡単に開閉できるような構造にすることも可能である。しかし、スライドドア５５を簡単に開閉できる構造にすると、作業者（ドライバー）が荷物の集配で貨物車両５１から離れた隙に、ドライバー以外の者によってスライドドア５５を簡単に開けられ、その箱型荷物室５２内の荷物を盗難されやすいという問題があった。
【００２８】
また、特許文献２の「荷箱の扉ロック装置」は、展開ドア５４（観音ドア）をロックロッド６１で広い範囲で開口部５３に締結するものであり、このロックロッド６１を使用せず、家屋の玄関ドアのように１か所が係合する扉ロック装置と比較してその密閉能力は高い。しかし、車体の後部において部材がロックロッド６１が突出しているので、見栄えが悪く車体全体のデザイン性を低下させるという問題を有していた。
【００２９】
また、このロックロッド６１方式の扉ロック装置は、外部にロックハンドル６２が位置するため、これが破損され、展開ドア５４を開けて荷物が盗難されやすく、セキュリティ性が低いという問題を有していた。
【００３０】
本発明の発明者は、自動開閉ドアでは、従来の２枚の観音ドア式荷物室とは異なり、搬送中の荷物の出し入れの際には主にスライドドアを利用し、この観音ドア（展開ドア）の開閉は極端に少ないことに着目した。この観音ドア（展開ドア）に密閉性とセキュリティ性の高いロックロッド式のロック装置を組み込むことに着目した。
【００３１】
本発明は、かかる問題点を解決するために創案されたものである。すなわち、本発明の目的は、スライドドアの開閉構造を折り曲げ方式のアームにすることで、緊急時に動作不能状態のスライドドアを解除するときに、容易かつ確実に緊急解除することができ、更に容易に復帰することができ、また幅が異なるスライドドアの何れにも対応することができる貨物車両用自動開閉ドアを提供することにある。
また、ロックロッド式のロック装置を自動開閉ドアの荷物室側に組み込むことで、自動開閉ドアの密閉能力を高め、かつセキュリティ性とデザイン性の高い貨物車両用自動開閉ドアを提供することにある。
【課題を解決するための手段】
【００３２】
本発明は、貨物車両（５１）の箱型荷物室（５２）の開口部（５３）を開閉する貨物車両用自動開閉ドアであって、
前記開口部（５３）の一側縁に、その側縁を回動中心にして水平方向に開くように取り付けられた展開ドア（５４）と、
前記展開ドア（５４）に、スライド開閉するように取り付けられたスライドドア（５５）と、
前記展開ドア（５４）に取り付けられた、駆動モータ（４）で円弧状に回動する第１アーム（２）と、該第１アーム（２）の先端を第２回動中心点（Ｐ２）として円弧状に回動する第２アーム（３）と、該第１アーム（２）の第１回動中心点（Ｐ１）に固定した第１タイミングプーリ（５）と、該第２アーム（３）の第２回動中心点（Ｐ２）に固定した第２タイミングプーリ（６）と、これらの第１タイミングプーリ（５）と第２タイミングプーリ（６）とに掛け渡すタイミングベルト（７）と、を有し、該第２アーム（３）の先端部に前記スライドドア（５５）を連結した開閉駆動部（１）と、
前記開閉駆動部（１）に付設された、前記第１アーム（２）の回動角度を規制するために、該第１アーム（２）が当たる位置を可変できるストッパ（３２）と、該第１アーム（２）の回動位置を検出する第１アーム検出センサ（３３）と、を有する第１アーム回動角調節構造（３１）と、を備え、
前記開閉駆動部（１）の第１アーム（２）を駆動モータ（４）で回動させると、同時に第１タイミングプーリ（５）の回動に伴い、タイミングベルト（７）が第２タイミングプーリ（６）を回動させ、第２アーム（３）を従回動させ、該第２アーム（３）の先端部を直線往復運動させて、前記スライドドア（５５）を自動で開閉し、
前記駆動モータ（４）が電気的に動作不能状態になったときに、前記スライドドア（５５）を手動で動かすことにより、前記第２アーム（３）の先端部の直線移動に伴い、第１アーム（２）を第２回動中心点（Ｐ２）で回動させ、該駆動モータ（４）の回転軸を強引に回動させ、該スライドドア（５５）を手動でも開閉するように構成した、ことを特徴とする。
【００３３】
前記第１アーム回動角調節構造（３１）は、前記ストッパ（３２）・第１アーム検出センサ（３３）を、支持孔（３５）を並列するように複数開けた支持板（３４）の何れかに着脱自在に掛け止めるように構成したものである。
前記開閉駆動部（１）は、箱型荷物室（５２）の開口部（５３）に取り付けた受信部にリモコンスイッチからの信号を受信させて遠隔操作するように構成することができる。
【００３４】
前記展開ドア（５４）の箱型荷物室（５２）側に、
該展開ドア（５４）を前記箱型荷物室（５２）の開口部（５３）に施錠・解錠するロックロッド（２４）と、該ロックロッド（２４）の両先端に形成された係合先端部をそれぞれ上下動させる係合先端部可動機構と、該開口部（５３）の上下位置にそれぞれ設けられた被係合部と、を有し、係合先端部可動機構を操作して該開口部（５３）の上下位置にそれぞれ設けられた被係合部に自在に係合するように成る荷物室側ロック装置（２１）を取り付け、
前記開口部（５３）において前記展開ドア（５４）を開閉するときは、前記スライドドア（５５）が展開ドア（５４）内に収納された状態で、開放された該開口部（５３）から、前記箱型荷物室（５２）内の係合先端部可動機構を操作して前記荷物室側ロック装置（２１）の解錠と施錠し得るように構成することができる。
【００３５】
前記スライドドア（５５）に、ねじ穴部を上下方向に可動可能に収納したスライドドア連結部（１２）を取り付け、該ねじ穴部と前記第２アーム（３）の先端部とを着脱自在に連結し得るように構成することができる。
【発明の効果】
【００３６】
本発明では、展開ドア（５４）にスライド開閉するように取り付けられたスライドドア（５５）について、開閉駆動部（１）の駆動モータ（４）を駆動させ、第一アーム（２）の回動に伴い、第二アーム（３）を従回動させ、この第二アーム（３）の先端部を直線往復運動させることにより、このスライドドア（５５）を開閉することができる。
第１アーム回動角調節構造（３１）のストッパ（３２）と第１アーム検出センサ（３３）により、スライドドア（５５）の開閉に際してスライドドア（５５）を開口部（５３）において開放し、隙間なく閉止することができる。
【００３７】
何らかの原因で、駆動モータ（４）が動作不能状態になったときには、第一アーム（２）と第二アーム（３）とは折り曲げ可能に連結され、かつ第一タイミングプーリ（５）と第二タイミングプーリ（６）の各回転軸が平行に配置されているので、従動側（スライドドア（５５））からでも動作可能になり、このスライドドア（５５）を手動で開閉することができる。そこで、スライドドア（５５）がどの位置で開閉不能な状態になっても、緊急解除することができる。
【００３８】
開閉駆動部（１）における第二アーム（３）の先端部を直線往復運動させる構造は、第一アーム（２）と第二アーム（３）を水平に伸長させた状態の２倍の距離を最大限とし、またスライドドア（５５）をロック状態にするときは、伸長させた状態にする必要がある。しかし、スライドドア（５５）を開けるときは、第一アーム（２）と第二アーム（３）が重なった状態でもよい。そこで、第一アーム（２）と第二アーム（３）の折り曲げ角度を可変するだけで、大型車両から小型車両の様々な車種の異なる幅のスライドドア（５５）に適用することができ、汎用性が高い。
【００３９】
復帰するためにスライドドア（５５）を箱型荷物室（５２）の開口部（５３）において閉止した状態にするときは、手動でスライドドア（５５）を閉じる。このときは駆動モータ（４）と減速器がブレーキの機能を果たし、不用意にスライドドア（５５）が開くことを防止している。
また、スライドドア（５５）がロック状態で故障したときは、第二アーム（３）とスライドドア（５５）とを連結しているスライドドア連結部（１２）のねじ等を再度締め付けることにより、スライドドア（５５）をロック状態にすることができる。
【００４０】
荷物室側ロック装置（２１）が展開ドア（５４）内面側に備えられているので、貨物車両用自動開閉ドアの密閉性とセキュリティ性が高い。この展開ドア（５４）を開閉するときは、スライドドア（５５）が展開ドア（５４）内に収納された状態にしてから、開放された開口部（５３）から、箱型荷物室（５２）内の荷物室側ロック装置（２１）のレバー（２２）を操作して解錠と施錠する。
【図面の簡単な説明】
【００４１】
【図１】実施例１の貨物車両用自動開閉ドアを示す斜視図である。
【図２】実施例１の貨物車両用自動開閉ドアを展開した状態を示す斜視図である。
【図３】展開ドアを外側から視認した状態を示す正面図である。
【図４】展開ドアを荷物室側から視認した状態であり、開閉駆動部のカバーを外した状態を示す正面図である。
【図５】スライドドアを外側から視認した状態を示す正面図である
【図６】スライドドアを荷物室側から視認した状態を示す正面図である。
【図７】開閉駆動部の分解斜視図である。
【図８】開閉駆動部のベルトと各リンクの動作状態を示す拡大説明図である。
【図９】開閉駆動部とスライドドアの関係を示す説明図であり、（ａ）はスライドドアを開放する状態、（ｂ）はスライドドアの移動状態、（ｃ）はスライドドアを閉止する状態である。
【図１０】開閉駆動部のリンクの角度調節構造を示す拡大説明図であり、（ａ）はスライドドアの移動距離が長い設定状態、（ｂ）はスライドドアの移動距離が短い設定状態である。
【図１１】ロック装置を示す一部切り欠いた正面図であり、（ａ）は施錠状態、（ｂ）は解錠状態である。
【図１２】従来の自動開閉ドアを閉じた状態を示す貨物車両の斜視図である。
【図１３】従来の自動開閉ドアを開けた状態の貨物車両の斜視図である。
【図１４】従来のスライド駆動機構を示すスライドドアの一部切り欠いた展開ドアの正面図である。
【図１５】車両用荷室扉におけるスライドドアをリモコンスイッチで開閉するときの操作手順を示すものであり、（ａ）は開操作、（ｂ）は閉操作である。
【図１６】電気式緊急解除の操作手順を示すものである。
【図１７】機械的な緊急時のロック解除の操作手順を示すものである。
【発明を実施するための形態】
【００４２】
本発明の貨物車両用自動開閉ドアは、展開ドアと、この展開ドアにスライド開閉するように取り付けられたライドドアと、展開ドアに取り付けられた開閉駆動部と、開閉駆動部を構成するアームの回動角度を検出する位置を可変できる第１アーム検出センサとから成る第１アーム回動角調節構造と、を備えたものである。
【実施例１】
【００４３】
以下、本発明の実施の形態を図面を参照して説明する。
＜貨物車両用自動開閉ドアの構成＞
図１は実施例１の貨物車両用自動開閉ドアを示す斜視図である。図２は実施例１の貨物車両用自動開閉ドアを展開した状態を示す斜視図である。
本発明の貨物車両用自動開閉ドアは、図１と図２に示すように、貨物車両５１の箱型荷物室５２の開口部５３の一側縁に、その側縁を回動中心にして水平方向に開くように取り付けられた展開ドア５４と、この展開ドア５４に、スライド開閉するように取り付けられたスライドドア５５とから成る。このように展開ドア５４とスライドドア５５とで開口部５３を閉塞し得ると共に、このスライドドア５５のみを開閉駆動部１で開閉するようになっている。即ち、開閉駆動部１により、開口部５３を部分的に開閉するようになっている。図２に示すように、スライドドア５５と共に展開ドア５４を開放すれば、開口部５３を全開にすることができる。
本発明の貨物車両用ドアは、上記したような貨物車両５１の箱型荷物室５２に限らず、低温の冷蔵車両の冷蔵庫、冷凍車にも実施することができる。
【００４４】
図示例では展開ドア５４の左端縁にヒンジ５６を取り付け、展開ドア５４の右側が展開する構成になっている。この展開方向は図示例に限定されない。この逆の配置でもよい。展開ドア５４の右端縁にヒンジ５６を取り付け、展開ドア５４の左側が展開する構成にすることもできる。配送する商品の種類、道路状況に応じて適宜使い分けることができる。
また、展開ドア５４に、２以上の個別にスライド開閉するスライドドアを取り付けることは可能である。
【００４５】
＜開口部５３の構成＞
箱型荷物室５２の開口部５３は、図１、２に示すように、展開ドア５４が閉止する領域ＯＴと、スライドドア５５が閉止する領域ＳＴとから成る。展開ドア５４が閉止する領域ＯＴには、密閉性の向上を図るための、軟質樹脂製又はゴム製のウエザーストリップ７１が開口部５３の上下と左側にそれぞれ取り付けられている。スライドドア５５が閉止する領域ＳＴには、スライドドア５５の上下端縁がスライドするレール７２が取り付けられている。
【００４６】
更に、開口部５３の展開ドア５４が閉止する領域ＯＴには、展開ドア５４が確実に閉止されているか否かをチェックする開閉検出センサ７３が設けられている。図示例では、この開閉検出センサ７３を開口部５３の下部に配置した例を示しているがこれを上部に配置することも可能である。
この開口部５３には、ロック装置２１のラッチ錠２３を係合させるストライカー７４（係合受け部）が上下に２か所配置されている。このロック装置２１により展開ドア５４を、このウエザーストリップ７１に強固に密着させることができ、開口部５３の密閉性を高めている。
【００４７】
＜展開ドア５４の構成＞
図３は展開ドアを外側から視認した状態を示す正面図である。図４は展開ドアを荷物室側から視認した状態であり、開閉駆動部のカバーを外した状態を示す正面図である。
展開ドア５４は、貨物車両５１の箱型荷物室５２の開口部５３の一側縁に、その側縁をヒンジ５６により回動中心にして水平方向に開くように取り付けられている。本発明の展開ドア５４は、図３に示すようにシンプルな形状をなす。展開ドア５４には箱型荷物室５２の密閉性を高めるための、軟質樹脂製又はゴム製のウエザーストリップ６５が取り付けられている。
【００４８】
展開ドア５４の荷物室５２側には、自動開閉ドアの開閉駆動部１とロック装置２１が備えられている。この開閉駆動部１は、スライドドア５５のスライド移動を円滑にさせるために、スライドドア５５の上下方向で中間の位置に駆動力がかかるように、展開ドア５３の上下方向で中間の位置に配置した。但し、この位置に限定されないことは勿論である。
【００４９】
この開閉駆動部１に隣接してロック装置２１が備えられている。本発明では、このロック装置２１は展開ドア５４の荷物室５２側に備えられている。このロック装置２１は、袋状構造になる展開ドア５４のスライドドア５５が収納されるスライドドア開口５５ａ側に備えられている。これは、スライドドア５５を展開ドア５４内に収納し、スライドドア５５を開けた状態で外部から操作しやすくするためである。この位置であれば、作業者が荷物室５２の外部からでもこのロック装置２１のレバー２２を容易に操作することができるからである。
【００５０】
＜スライドドア５５の構成＞
図５はスライドドアを外側から視認した状態を示す正面図である。図６はスライドドアを荷物室側から視認した状態を示す正面図である。
スライドドア５５は、展開ドア５４と共に開口部５３を閉止するものである。このスライドドア５５は、開閉駆動部１により自動で開閉するようになっている。この操作はリモコンによる。スライドドア５５の上部には、例えば袋状の展開ドア５４内を円滑にスライドできるようにスライドローラ６６が備えられている。スライドドア５５の下部には、展開ドア５４内を円滑にスライドできるようにスライドガイド６７が備えられている。
【００５１】
スライドドア５５の荷物室５２側には、図６に示すように、展開ドア５４との密閉性を高めるための軟質樹脂製又はゴム製のウエザーストリップ６８が取り付けられている。更に、このスライドドア５５が展開ドア５４に対して全開したかどうかを検出するスライドドア全開検出マグネット６９が備えられている。更に、開閉駆動部１の第２アーム３の先端が取り付けられるスライドドア連結部１２は多少の動きの誤差を吸収できるように長穴になっている。
【００５２】
＜開閉駆動部１の構成＞
図７は開閉駆動部の分解斜視図である。図８は開閉駆動部のベルトと各リンクの動作状態を示す拡大説明図である。図９は開閉駆動部とスライドドアの関係を示す説明図であり、（ａ）はスライドドアを開放する状態、（ｂ）はスライドドアの移動状態、（ｃ）はスライドドアを閉止する状態である。
本発明の自動開閉ドアは、展開ドア５４にスライド開閉するように取り付けられたスライドドア５５を開閉駆動部１により開閉する。開閉駆動部１は、第１アーム２と、この第１アーム２の先端で円弧状に回動する第２アーム３とから成り、駆動モータ４で第１アーム２を円弧状に回動させる。開閉駆動部１は、第１アーム２の第１回動中心点Ｐ１に固定した第１タイミングプーリ５と、第２アーム３の第２回動中心点Ｐ２に固定した第２タイミングプーリ６と、これらの第１タイミングプーリ５と第２タイミングプーリ６に掛け渡すタイミングベルト７とから成る。第１アーム２には補強板２ａが取り付けられている。この補強板２ａに第２タイミングプーリ６の支持軸２ｂが取り付けられ、第２タイミングプーリ６に固定された第２アーム３を確実に回動動作させるようになっている。
【００５３】
駆動モータ４で第１アーム２を回動させると同時に、第１タイミングプーリ５も回動し、この回動に従ってタイミングベルト７が第２タイミングプーリ６を回動させ、第２タイミングプーリ６に固定された第２アーム３の先端部を直線往復運動ＴＲさせる。その結果、スライドドア５５を開閉させることができる。この開閉駆動部１の駆動モータ４の駆動は、開口部５３の周囲に取り付けたスイッチ又はリモコンスイッチにより遠隔操作するようになっている（図示していない）。
【００５４】
この開閉駆動部１は、図４に示したように、展開ドア５４に設けたベースフレーム８に取り付ける。このベースフレーム８は、展開ドア５４に、横方向に掛け渡すように２枚の横フレーム９を取り付け、両横フレーム９の間に取り付けたものである。
【００５５】
図示例では、展開ドア５４の上下方向の略中間位置に、ベースフレーム８（開閉駆動部１）を配置しているが、これは、力学的な点でスライドドア５５を円滑に開閉することができることを考慮したもので、その上下方向の配置はこの図示例に限定されない。また、展開ドア５４においてスライドドア５５をスライドさせる機構、例えば吊り下げ式、ローラ式等の機構に応じて、開閉駆動部１の配置を決定することもある。この開閉駆動部１はカバー１０で保護されている（図２参照）。
【００５６】
＜第２アーム３の回動状態の説明＞
この開閉駆動部１における第２アーム３の回動状態を説明する。
第１アーム２の第１回動中心点Ｐ１に固定した第１タイミングプーリ５が第１アーム２と共に回動すると、掛け渡したタイミングベルト７が第２タイミングプーリ６を回動させ、同時に第２アーム３を回動させる。第２タイミングプーリ６は第２回動中心点Ｐ２を中心として回動しながら、同時に第１アーム２の回動中心点を中心にして円弧状にも回動する。そこで、第１タイミングプーリ５の直径と、第２タイミングプーリ６の直径との比率を２：１にして、第２アーム３の回動角を規制している。この結果、開閉駆動部１の駆動モータ４を駆動すると、第１アーム２の回動に伴い、第２アーム３の先端部を直線往復運動ＴＲさせることができ、スライドドア５５を自動で開閉させる。
【００５７】
＜スライドドア連結部１２の構成＞
第２アーム３の先端部は、図５，６に示したように、スライドドア５５に取り付けたスライドドア連結部１２に連結する。このスライドドア連結部１２は、例えばねじ穴部を上下方向に可動可能に収納したものであり、このねじ穴部と第２アーム３の先端部とをねじで着脱自在に連結する。開閉駆動部１が第１アーム２と第２アーム３とが直線になり、かつ過回動した状態、即ちロック状態ではスライドドア５５を手動で開閉することができない。このときは、この第２アーム３とスライドドア５５との連結を外すことにより、スライドドア５５のみを開閉することができる。このスライドドア連結部１２を止めているねじは、スライドドア５５の外壁に開けた穴からドライバー等を挿し込んで回動するようになっている。ねじを回す穴は、通常はゴム製のキャップを付けておく。埃の侵入防止と、盗難防止するためである。
【００５８】
本発明の開閉駆動部１は、タイミングベルト７に代えて、平ベルト又はＶベルトを用いることも可能である。図示していないが、例えば、第１アーム２の第１回動中心点に固定した第１プーリと、第２アーム３の第２回動中心点に固定した第２プーリと、これらの第１プーリと第２プーリに掛け渡すベルトとから成る構成でもよい。このような構成でも、第１アーム２を回動させると同時に第１プーリも回動し、この回動に従ってベルトが第２プーリを回動させ、第２アーム３の先端部を直線往復運動させることができる。
【００５９】
また、図示していないが、第１アーム２の第１回動中心点に固定した第１スプロケットと、第２アーム３の第２回動中心点に固定した第２スプロケットと、これらの第１スプロケットと第２スプロケットに掛け渡すチェーンと、から成る構成でもよい。このような構成でも、第１アーム２を回動させると同時に第１スプロケットも回動し、この回動に従ってチェーンが第２スプロケットを回動させ、第２アーム３の先端部を直線往復運動させることができる。
【００６０】
何れの構成でも、第１アーム２と第２アーム３とは折り曲げ可能に連結され、かつ第１プーリ（第１スプロケット）と第２プーリ（第２スプロケット）の各回転軸が平行に配置されている必要がある。駆動モータ４が動作不能状態になったときに、従動側（スライドドア５５）からでも動作可能にし、スライドドア５５を手動で開閉できるようにするためである。
【００６１】
＜角度調節構造の構成＞
図１０は開閉駆動部のリンクの角度調節構造を示す拡大説明図であり、（ａ）はスライドドアの移動距離が長い設定状態、（ｂ）はスライドドアの移動距離が短い設定状態である。
開閉駆動部１を構成する筐体１ａには、角度調節構造３１となる第１アーム２の過回動を規制するストッパ３２と過回動を検出する第１アーム検出センサ３３が備えられている。このストッパ３２は筐体１ａの周囲に取り付けられた支持板３４に多数開けられた支持孔３５のいずれかに着脱自在に取り付けられる。この支持孔３５は筐体１ａの側面の支持板３４に直線状に配置されている。この支持孔３５の第１アーム２に近い位置（図示上では上方）に取り付ければ、第１アーム２がこの位置で回動角度が規制される。即ち、第２アーム３の移動距離（ＴＲ）が決められる。逆にこの支持孔３５の第１アーム２から遠い位置（図示上では下方）に取り付ければ、第１アーム２の回動範囲が長くなる。即ち、第２アーム３の移動距離が長くなる（間隔ｄの差）。この支持孔３５は一直線上に配列するだけでなく、二列に配列することも可能である。
【００６２】
なお、図示例では、角度調節構造として支持孔３５の例を示しているが、この支持孔３５に代えて、長孔又は固定用の突起を支持板３４に並列させた構成のものでも良い。また、支持孔３５の配列も筐体１ａ側面と並行ではなく傾斜し、あるいは湾曲した状態で配列することができる。換言すれば、支持孔３５の位置を変えることで、第１アーム２の回動角度を規制できればよい。
【００６３】
ストッパ３２は、略円柱形状の弾性を有する素材からなる部材である。このストッパ３２の中心に固定用の軸を貫通させるようになっている。また、第１アーム２もこのストッパ３２が当たってもタイミングベルト７と干渉しないように、第１アーム２の周囲を曲折してタイミングベルト７を保護するような構成にする（図７参照）。
【００６４】
また、筐体１ａの支持板３４に取り付ける第１アーム検出センサ３３も、第１アーム２は往復回動するため、このストッパ３２の位置と対応する位置に取り付ける。その取付手段又は構成は、ストッパ３２の時と同様である。
【００６５】
スライドドア５５をロック状態にするときは、第１アーム２と第２アーム３とを伸長させた状態にする必要がある。しかし、スライドドア５５を開けているときは、第１アーム２と第２アーム３が折れた状態でもよい。そこで、第１アーム２と第２アーム３の折り曲げ角度を可変するだけで、大型車両から小型車両の様々な車種のスライドドア５５に適用することができる。ストッパ３２の位置を可変することで、大型車両から小型車両の様々な車種の異なる幅のスライドドア５５に適用することができる。
【００６６】
＜緊急時の動作の説明＞
何らかの原因で、駆動モータ４が電気的に動作不能状態になったときには、第１アーム２と第２アーム３とは第２回動中心点Ｐ２で連結され、かつ第１タイミングプーリ５と第２タイミングプーリ６の各回転軸が平行に配置されているので、スライドドア５５を手動で強引に動かすと、第２アーム３の先端部の直線移動に伴い、第１アーム２を第２回動中心点Ｐ２で回動させることがきる。従動側（スライドドア５５）からでも駆動モータ４の回転軸を強引に回動させることが可能になり、スライドドア５５を手動で開閉することができる。そこで、スライドドア５５がどの位置で開閉不能な状態になっても、緊急解除することができる。駆動モータ４の減速機構も、各減速ギヤの回転軸を平行に配置したものであれば、従動側からでもこの駆動モータ４を回動させることができる。
【００６７】
＜荷物室側ロック装置の構成＞
図１１はロック装置を示す一部切り欠いた正面図であり、（ａ）は施錠状態、（ｂ）は解錠状態である。
本発明の荷物室側ロック装置２１は、展開ドア５４の箱型荷物室５２側に取り付けられている。このロック装置２１は展開ドア５４を箱型荷物室５２の開口部５３に施錠・解錠するロックロッド２４と、このロックロッド２４の両先端のラッチ錠２３（係合先端部）を、それぞれ上下動させるレバー２２（係合先端部可動機構）と、開口部５３の上下位置にそれぞれ設けられたストライカー７４（被係合部）と、から成る。開口部５３において展開ドア５４を開閉するときは、スライドドア５５が展開ドア５４内に収納された状態で、開放された開口部５３から、箱型荷物室５２内のギヤの組み合わせから成る係合先端部可動機構を操作して荷物室側ロック装置２１の解錠と施錠する。
【００６８】
開口部５３において展開ドア５４を開閉するときは、スライドドア５５が展開ドア５４内に収納された状態で、開放された開口部５３から、レバー２２で係合先端部可動機構を操作して荷物室側ロック装置２１の解錠と施錠することができる。
【００６９】
本発明の荷物室側ロック装置２１は、文字通り箱型荷物室５２側に取り付けられ、貨物車両用ドアのデザイン性の向上に寄与している。なお、本発明の荷物室側ロック装置２１は箱型荷物室５２側に取り付けられているので、ロックロッド２４の周囲にロックロッド用カバー２５を取り付け、貨物等が直接このロックロッド２４に当たらないようにしている。
【００７０】
なお、本発明は上述した発明の実施の形態に限定されず、スライドドア５５の開閉構造を第１アーム２と第２アーム３とから成る折り曲げ方式にすることで、緊急時に電気的に動作不能状態のスライドドア５５を解除するときに、容易かつ確実に緊急解除することができ、更に容易に復帰することができ、また幅が異なるスライドドア５５の何れにも対応することができれば、図示したような構成に限定されず、本発明の要旨を逸脱しない範囲で種々変更できることは勿論である。
【産業上の利用可能性】
【００７１】
本発明の貨物車両用ドアは、主に貨物車両に利用できるだけでなく、その他の冷凍車両、温蔵車両又は乗用車の開閉構造として利用することができる。
【符号の説明】
【００７２】
１  開閉駆動部
２  第１アーム
３  第２アーム
４  駆動モータ
５  第１タイミングプーリ
６  第２タイミングプーリ
７  タイミングベルト
１２  スライドドア連結部
Ｐ１  第１回動中心点
Ｐ２  第２回動中心点
２１  荷物室側ロック装置
２２  レバー
２３  ラッチ錠２３（係合先端部）
２４  ロックロッド
３１  第１アーム回動角調節構造
３２  ストッパ
３３  第１アーム検出センサ
３４  支持板
３５  支持孔
５１  貨物車両
５２  箱型荷物室
５３  開口部
５４  展開ドア
５５  スライドドア
７４  ストライカー（係合受け部）
【要約】
【課題】緊急時に動作不能状態のスライドドアを解除するときに、容易かつ確実に緊急解除することができ、更に容易に復帰することができる。
【解決手段】駆動モータ４で円弧状に回動する第１アーム２と、第１アーム２の先端を第２回動中心点Ｐ２として円弧状に回動する第２アーム３と、第１アーム２の第１回動中心点Ｐ１に固定した第１タイミングプーリ５とから成る開閉駆動部１と、第１アーム回動角調節構造３１と、を備え、駆動モータ４が電気的に動作不能状態になったときに、スライドドア５５を手動で動かすことにより、第２アーム３の先端部の直線移動に伴い、第１アーム２を第２回動中心点Ｐ２で回動させ、駆動モータ４の回転軸を強引に回動させ、該スライドドア５５を手動でも開閉することができる。
【選択図】図２【図１】
0005828534.tif 000002
【図２】
0005828534.tif 000003
【図３】
0005828534.tif 000004
【図４】
0005828534.tif 000005
【図５】
0005828534.tif 000006
【図６】
0005828534.tif 000007
【図７】
0005828534.tif 000008
【図８】
0005828534.tif 000009
【図９】
0005828534.tif 000010
【図１０】
0005828534.tif 000011
【図１１】
0005828534.tif 000012
【図１２】
0005828534.tif 000013
【図１３】
0005828534.tif 000014
【図１４】
0005828534.tif 000015
【図１５】
0005828534.tif 000016
【図１６】
0005828534.tif 000017
【図１７】
0005828534.tif 000018